(57)【要約】【課題】  ハンマーを必要とすることなく、表示プレート２０や標示杭の情報を内蔵した識別体３０を容易に装着できる標示杭を提供する。【解決手段】  頭部１０の少なくとも一部分が地表から露出するようにして地盤Ｃに埋設される標示杭であって、頂面に、挿通孔２１を有し標示杭Ａを識別するための表示プレート２０または識別体３０が載置され、頭部に１０に前記挿通孔２１に合致する挿入孔１３が設けられている。前記挿通孔２１を通して前記挿入孔１３に、表示プレート２０または識別体３０を頭部１０に取り付ける止着部材１５が挿入され、止着部材１５および挿入孔１３の少なくとも一方に、止着部材１５の挿入孔１３からの離脱を阻止する係止部１６が設けられている。【選択図】  図２
2005249508.tif 000002
【特許請求の範囲】
【請求項１】
頭部の少なくとも一部分が地表から露出するようにして地盤に埋設される標示杭であって、
頂面に、挿通孔を有し標示杭を識別するための表示プレートが載置され、
前記頭部に前記挿通孔に合致する挿入孔が設けられ、
前記挿通孔を通して前記挿入孔に、表示プレートを前記頭部に取り付ける止着部材が挿入されており、
前記止着部材および挿入孔の少なくとも一方に、止着部材の挿入孔からの離脱を阻止する係止部が設けられている標示杭。
【請求項２】
頭部の少なくとも一部分が地表から露出するようにして地盤に埋設される標示杭であって、
頂面に、挿通孔を有し外部からの読み出し用電磁波を受けたとき記憶した情報を発信する識別体が載置され、
前記頭部に前記挿通孔に合致する挿入孔が設けられ、
前記挿通孔を通して前記挿入孔に識別体を前記頭部に取り付ける止着部材が挿入されており、
前記止着部材および挿入孔の少なくとも一方に、止着部材の挿入孔からの離脱を阻止する係止部が設けられている標示杭。
【請求項３】
請求項１または２において、杭本体の頭部にキャップが被せられた標示杭であって、前記キャップに前記挿入孔が形成されている標示杭。
【請求項４】
請求項３において、前記キャップの挿入孔に前記係止部が形成され、前記止着部材に前記係止部に係止される被係止部が形成されている標示杭。
【発明の詳細な説明】
【技術分野】
【０００１】
本発明は、地籍調査を行うような場合に使用される土地や道路の境界、または、その位置のケーブル、水道管、ガス管などの埋設情報を表示するための標示杭に関するものである。
【背景技術】
【０００２】
従来、地籍調査などを行う場合には、位置表示部材として標示杭が使用される( 例えば、特許文献1)。この標示杭は、地盤に打ち込まれるもので、細長い棒状とされた杭本体の頭部に、地表に露出するキャップを取り付けて、このキャップの頂面に標示杭の識別番号や用途などの情報が付された表示プレートを取り付けている。この表示プレートは、作業現場において、測量などを行って標示杭を地盤に打ち込んだ後、中央の挿通孔から釘をハンマーなどで打ち込むことによりキャップの頂面に釘付けされる。
【特許文献１】実用新案登録第２５２７６０７号公報( 全文および第１図)
【発明の開示】
【発明が解決しようとする課題】
【０００３】
しかし、以上のように、表示プレートを釘付けるためには、ハンマーを常に持ち運ぶ必要があって作業性が悪く、しかも、誤ってハンマーなどを表示プレートに打ち付けて、これに付された情報を損なったり、ハンマーで手を叩いてしまう場合もある。
【０００４】
そこで、本発明は、ハンマーを必要とすることなく、作業者が手で表示プレートや標示杭の情報を内蔵した識別体を容易に装着することができる標示杭を提供することを目的とする。
【課題を解決するための手段】
【０００５】
上記目的を達成するために、本発明の標示杭は、頭部の少なくとも一部分が地表から露出するようにして地盤に埋設される標示杭であって、頂面に、挿通孔を有し標示杭を識別するための表示プレートが載置され、前記頭部に前記挿通孔に合致する挿入孔が設けられ、前記挿通孔を通して前記挿入孔に表示プレートを前記頭部に取り付ける止着部材が挿入されており、前記止着部材および挿入孔の少なくとも一方に、止着部材の挿入孔からの離脱を阻止する係止部が設けられている。
【０００６】
前記表示プレートを標示杭の頭部に取り付けるときには、作業者が手で止着部材を表示プレートの挿通孔から前記頭部の挿入孔に押し込む。この状態で、係止部により止着部材の挿入孔からの離脱が防止される。こうして、表示プレートが標示杭の頂面に容易に装着される。このため、表示プレートを取り付けるためのハンマーを持ち運ぶ必要がなくなって、作業性が高められ、また、誤ってハンマーなどを表示プレートに打ち付けて、これに付された情報を損なったり、あるいはハンマーで手を叩くこともなくなる。
【０００７】
また、本発明の標示杭は、頂面に、挿通孔を有し外部からの読み出し用電磁波を受けたとき記憶した情報を発信する識別体が載置され、前記頭部に前記挿通孔に合致する挿入孔が設けられ、前記挿通孔を通して前記挿入孔に識別体を前記頭部に取り付ける止着部材が挿入されており、前記止着部材および挿入孔の少なくとも一方に、止着部材の挿入孔からの離脱を阻止する係止部が設けられている。
【０００８】
この標示杭の場合にも、前記止着部材を識別体の挿通孔から前記頭部の挿入孔に押し込んで、前記係止部により挿入孔に係止されるので、識別体がハンマーを必要とすることなく容易に装着される。また、ハンマーなどを用いることなく、手で装着されるので、衝撃などにより識別体に内蔵した標示杭の情報を損なうおそれがなく、ハンマーで手を叩くこともなくなる。
【０００９】
本発明の一実施形態では、杭本体の頭部にキャップが被せられており、このキャップに前記挿入孔を形成する。また、前記キャップの挿入孔に前記係止部を形成し、前記止着部材に前記係止部に係止される被係止部を形成する。この構成によれば、キャップに対する前記表示プレートや識別体の装着が容易、かつ確実に行える。また、杭本体よりも小さいキャップに係止部を形成するので、型成形による係止部の形成が容易である。
【発明の効果】
【００１０】
本発明の標示杭によれば、ハンマーを必要とすることなく、表示プレートや標示杭の情報を内蔵した識別体を容易に装着することができる。
【発明を実施するための最良の形態】
【００１１】
以下、本発明にかかる標示杭の第１実施形態を図面に基づいて説明する。図１は本発明の一実施形態にかかる標示杭の全体を示す斜視図である。この標示杭Ａは、細長い断面十字形の杭本体１の先端側に先鋭部１１を、基端側に四角柱形状とされた頭部１０をそれぞれ形成して、この頭部１０に、その頂面１０ａおよび側面１０ｂを覆うように円盤形のキャップ１２を被嵌させている。前記杭本体１およびキャップ１２の横断面形状は、三角形、四角形以上の多角形、円形など種々の形状とすることができる。前記杭本体１の材料は、主に樹脂製品の成形時に発生する樹脂かすや樹脂製品の廃物などを原料とするリサイクル樹脂が用いられ、キャップ１２の材料は主にバージン樹脂が用いられる。
【００１２】
前記キャップ１２の頂面１２ａには凹所１２ｂが形成され、ここに表示プレート２０が取り付けられる。この表示プレート２０の表面には、標示杭Ａの識別番号や用途、土地の境界表示や区画番号、基準点からの距離、地下埋設物の情報などが付されている。本実施形態では、「地籍調査」の文字と標示杭Ａの識別番号「３０３０」を付している。前記表示プレート２０は、アルミニウム、ステンレスなどの耐腐食性を有する金属または樹脂製であり、円形、多角形などの任意のものを使用できるが、本実施形態では円形状のものを用い、前記凹所１２ｂも平面視円形状に形成している。
【００１３】
図２は前記キャップ１２の表示プレート２０の取付部分を拡大した断面図を示している。このキャップ１２における頂面１２ａの円形凹所１２ｂの中心部には、杭本体１の長手方向に延びる挿入孔１３が設けられ、また、前記表示プレート２０の中心部には挿通孔２１が形成されている。これら挿入孔１３と挿通孔２１は、表示プレート２０を凹所１２ｂに嵌合したときに、互いに合致するようになっている。挿通孔２１から前記挿入孔１３に止着部材１５を挿入することにより、前記表示プレート２０がキャップ１２の頂面１２ａに取り付けられる。
【００１４】
前記挿入孔１３には、この挿入孔１３からの止着部材１５の離脱を阻止する係止部１６が設けられ、また前記止着部材１５には、前記係止部１６に係止する被係止部１７が形成されている。図の実施形態では、前記挿入孔１３の長さ方向中間位置に前記被係止部１７に係止する突起状の環状係止部１６をキャップ１２と一体に形成している。また、前記止着部材１５として、前記挿通孔２１よりも大きい径の頭１５ａと、これより延びる軸部１５ｂとを有し、この軸部１５ｂの周囲に、複数条の円周溝または螺旋状のねじ溝などの被係止部１７が形成されたピン部材を用いている。この止着部材１５としては、アルミニウム、ステンレスなどの他にプラスチック性のピン部材が好適に用いられる。このプラスチック製のピン部材として、多くの種類が市販されているプラスチックねじを用いることにより、コストが低減される。
【００１５】
前記挿入孔１３に設ける突起状の係止部１６は、前記止着部材１５を係止するために挿入孔１３の壁部を僅かに突出させるだけで十分である。キャップ１２は杭本体１よりも小さいために弾性変形が容易なので、このキャップ１２に係止部１６を形成することにより、型成形時にキャップ１２を弾性変形させて係止部１６を成形型から抜き出すことができる。したがって、係止部１６を簡単な成形型により容易に形成できる。
【００１６】
前記標示杭Ａは、図２のように、杭本体１の頭部１０の少なくとも一部分が地表に露出するように地盤Ｃに埋設される。このとき、杭本体１の頭部１０の頂面１０ａを打込み用具で叩いて地盤Ｃに打ち込むと、頭部１０に若干の変形が生じる場合もあるが、挿入孔１３の内方（下方）に設けた係止部１６は、殴打される頂面１０ａから離れているために、殴打の影響を受けて変形するおそれがない。この状態で前記頭部１０に被嵌されたキャップ１２の頂面１２ａに形成した凹所１２ｂに前記表示プレート２０を取り付ける。この取り付け時には、前記頂面１２ａの凹所１２ｂに表示プレート２０を嵌合させて、その挿通孔２１をキャップ１２に設けた挿入孔１３に合致させる。この状態で、挿通孔２１から挿入孔１３へと前記止着部材１５を作業者が手で押し込む。これにより、止着部材１５に形成した被係止部１７が挿入孔１３に設けた係止部１６に係止されて、表示プレート２０がキャップ１２にハンマーを必要とすることなく容易に装着される。また、誤ってハンマーなどを表示プレート２０に打ち付けて、これに付された情報を損なったり、ハンマーで手を叩くこともなくなる。
【００１７】
前記キャップ１２の挿入孔１３は、表示プレート２０を装着しない場合または装着する前に、測量用として次のように利用される。図３は測量用の器材であるポール１８を立てた状態を示す断面図である。測量時には、前記キャップ頂面１２ａの円形凹所１２ｂの中心に形成した挿入孔１３に測量用のポール１８が立てられて測量用の標識とされる。また、測量時には、前記ポール１８に代えて、光反射器からの光波を光反射器に向かって反射するための光波反射鏡を、前記挿入孔１３を利用して立てることもできる。
【００１８】
図４は本発明の第２実施形態にかかる標示杭の全体を示す斜視図である。この標示杭Ａは、図１に示す表示プレート２０に代えて、前記キャップ１２の頂面１２ａに形成した凹所１２ｂに識別体３０を取り付けている。この識別体３０は、共鳴物質と磁性材料とを適当に配置し、または、両者を適当に混合して形成され、これに磁界が付加されたときの磁気共鳴現象を利用して特有の周波数( 共鳴周波数) の電磁波を発生するように形成されている。この特有の周波数の電磁波は、 例えば標示杭の識別番号を示す情報となる。
【００１９】
この標示杭Ａの場合も、第１実施形態と同様に、キャップ１２の頂面１２ａに設けた凹所１２ｂの中心部に挿入孔１３を設け、また、前記識別体３０の中心部に挿通孔３１を形成している。止着部材１５、係止部１６および被係止部１７は、第１実施形態と同一である。
【００２０】
前記識別体３０をキャップ１２に取り付けるときには、前述した場合と同様に、作業者が手で前記止着部材１５を識別体３０の挿通孔３１から前記キャップ１２に設けた挿入孔１３に押し込んで、前記止着部材１５に形成した被係止部１７を前記挿入孔１３の係止部１６に係止させる。これにより、識別体３０がキャップ１２に装着される。
【００２１】
前記識別体３０に対する前記特有の周波数( 情報) の付加は、識別体３０の共鳴特性を化学的または結晶学的もしくは物理学的に変更可能な電磁ビームや粒子ビームなどを前記識別体３０に発射することにより行われる。このようにして、識別体３０に付加された情報は、強い衝撃を与えると破損するおそれがあるが、前述したように、作業者が手で止着部材１５を介して識別体３０をキャップ１２に取り付けることにより、識別体３０に付加された情報の破損が防止される。
【００２２】
図５は本発明の第３実施形態にかかる標示杭の一部を示す断面図である。この標示杭Ａは、キャップ１２を取り付けないものを示しており、杭本体１の頭部１０に直接、係止部１６が形成された挿入孔１４を設け、前記頭部１０の頂面１０ａに表示プレート２０を装着する止着部材１５に、前記係止部１６に係止する被係止部１７を設けている。このとき、前記表示プレート２０に代えて前述した識別体３０を取り付けることもできる。このようにしても、ハンマーを必要とすることなく、容易に表示プレート２０や識別体３０を杭本体１の頭部１０に直接取り付けることができる。
【００２３】
以上の実施形態では、挿入孔１３，１４に係止部１６を設け、止着部材１５に被係止部１７を設けたが、これとは異なり、係止部を止着部材１５に設けるだけの構造としてもよい。例えば、止着部材１５に、先端が鉤形状とされた係止部を形成して、この鉤状の係止部を挿入孔１３，１４の内周面に係止させることにより、止着部材１５の挿入孔１３からの離脱を阻止することもできる。
【図面の簡単な説明】
【００２４】
【図１】本発明の第１実施形態にかかる標示杭の全体を示す斜視図である。
【図２】キャップの表示プレートの取付部分を拡大して示す縦断面図である。
【図３】測量用のポールを立てた状態を示す縦断面図である。
【図４】本発明の第２実施形態にかかる標示杭の全体を示す斜視図である。
【図５】本発明の第３実施形態にかかる標示杭の一部を示す断面図である。
【符号の説明】
【００２５】
１  杭本体
１０  頭部
１０ａ  頂面
１２  キャップ
１２ａ  頂面
１３，１４  挿入孔
１５  止着部材
１６  係止部
１７  被係止部
２０  表示プレート
２１  挿通孔
３０  識別体
３１  挿通孔
Ｃ  地盤
【図１】
2005249508.tif 000003
【図２】
2005249508.tif 000004
【図３】
2005249508.tif 000005
【図４】
2005249508.tif 000006
【図５】
2005249508.tif 000007